(57)【要約】【課題】タオルなどの身の回り品に容易に取り付けることができ、また、自己の身の回り品を一見して識別できるワッペンを提供すること。【解決手段】平板状の基材２を有し、基材２の裏面側にはアイロンなどの加熱により接着が可能となる感熱接着剤層が設けられ、基材２の表面側には、氏名などを記載可能な記入部２２が設けられており、また、基材２の側方に突出して設けられた吊り下げ部３が、基材２と感熱接着剤層２２とに挟まれることにより、基材２に取り付けられたものであり、吊り下げ部３の末端部３ａと基材２との間には飾り部４が設けられたワッペンを提供する。【選択図】          図１
0003108951.tif 000002
【実用新案登録請求の範囲】
【請求項１】
タオルなどの身の回り品（Ｔ）に取り付けられるワッペン（１）において、
平板状の基材（２）を有し、
基材（２）の裏面側には、身の回り品（Ｔ）の表面に対し、アイロンなどで加熱されることにより接着が可能となる感熱接着剤層（２１）が設けられ、
基材（２）の表面側の少なくとも一部には、氏名などを記載可能な記入部（２２）が設けられており、
また、基材（２）には、側方に突出したものであって、フック（Ｆ）などに引っ掛けることのできる吊り下げ部（３）が設けられたものであり、
この吊り下げ部（３）が、基材（２）と感熱接着剤層（２２）とに挟まれることにより、基材（２）に取り付けられたものであり、
吊り下げ部（３）の末端部（３ａ）と基材（２）との間には飾り部（４）が設けられたことを特徴とするワッペン。
【請求項２】
飾り部（４）は、表側片（４１）と裏側片（４２）の２枚の平板状小片からなるものであり、
吊り下げ部（３）はリボン状のものからなり、
末端部（３ａ）で折り返されることによって、二重に重ね合わされた部分（３ｂ）が形成され、その重ね合わされた部分（３ｂ）の基材側の端部（３ｃ）が、上記の表側片（４１）と裏側片（４２）とに挟まれることにより、ループ状とされたことを特徴とする、請求項１に記載のワッペン。
【請求項３】
飾り部（４）の表面にはキャラクターの図案（４ａ）が設けられたものであり、
吊り下げ部（３）の、飾り部（４）から末端部（３ａ）までのループ状部分の寸法が、４〜８cmであることを特徴とする、請求項２に記載のワッペン。
【考案の詳細な説明】
【技術分野】
【０００１】
本願考案は、タオルなどの身の回り品に取り付けられるワッペンに関するものである。
【背景技術】
【０００２】
主に幼児が使用するタオルには、家庭や幼稚園などにおける壁面に設けられたフックに引っ掛けることができるように、ループ状小片が取り付けられることが多い。
【考案の開示】
【考案が解決しようとする課題】
【０００３】
このループ状小片は、リボンなどをタオルの一部に縫い付けることにより形成される。このループ状小片の縫い付けは手作業で行われていたため、特に、多数のタオルにループ状小片を取り付ける場合、手間のかかるものであった。
【０００４】
また、タオルの取り違えを防ぐため、油性ペンなどを用い、タオルの表面に直接氏名を記載することがあるが、ペンのインクがにじんでしまい、見にくくなってしまう場合がある。これを防止するため、にじみ防止加工を施した布をタオルに縫い付け、その布に氏名を記載することもあるが、上記と同様に、別の布をタオルに縫い付けることは面倒なことである。しかも、タオルの表面に記載された氏名は、タオルをフックにぶら下げた際に、布地の他の部分に隠れて見えなくなることがあった。そのため、似た柄のタオルが複数ぶら下げられている状況においては、いちいち記載された氏名を探すことが必要になる場合もあった。
【０００５】
本願考案は上記のことに鑑み、タオルなどの身の回り品に対して、容易に取り付けることができるワッペンを提供することを課題とする。
また、自己の身の回り品を一見して識別でき、探すのに手間のかからないワッペンを提供することを課題とする。
【課題を解決するための手段】
【０００６】
上記課題を解決するために、本願第１の考案は、タオルなどの身の回り品Ｔに取り付けられるワッペン１において、平板状の基材２を有し、基材２の裏面側には、身の回り品Ｔの表面に対し、アイロンなどで加熱されることにより接着が可能となる感熱接着剤層２１が設けられ、基材２の表面側の少なくとも一部には、氏名などを記載可能な記入部２２が設けられており、また、基材２には、側方に突出したものであって、フックＦなどに引っ掛けることのできる吊り下げ部３が設けられたものであり、この吊り下げ部３が、基材２と感熱接着剤層２２とに挟まれることにより、基材２に取り付けられたものであり、吊り下げ部３の末端部３ａと基材２との間には飾り部４が設けられたことを特徴とするワッペンを提供する。
【０００７】
また、本願第２の考案は、飾り部４は、表側片４１と裏側片４２の２枚の平板状小片からなるものであり、吊り下げ部３はリボン状のものからなり、末端部３ａで折り返されることによって、二重に重ね合わされた部分３ｂが形成され、その重ね合わされた部分３ｂの基材側の端部３ｃが、上記の表側片４１と裏側片４２とに挟まれることにより、ループ状とされたことを特徴とする、請求項１に記載のワッペンを提供する。
【０００８】
また、本願第３の考案は、飾り部４の表面にはキャラクターの図案４ａが設けられたものであり、吊り下げ部３の、飾り部４から末端部３ａまでのループ状部分の寸法が、４〜８cmであることを特徴とする、請求項２に記載のワッペンを提供する。
【考案の効果】
【０００９】
本願考案は、基材２の裏面側に感熱接着剤層２１が設けられたことにより、身の回り品Ｔに対して、容易に取り付けることができるワッペン１を提供できたものである。
また、吊り下げ部３を用いて身の回り品Ｔを吊り下げた場合、吊り下げ部３の直下に基材２を位置させることができる。よって、基材２上の氏名の表記が従来のように、身の回り品の一部により隠されてしまうことがなく、自己の身の回り品Ｔを識別することが容易であるワッペン１を提供できたものである。
また、飾り部４が設けられたことにより、この飾り部４が識別性を発揮する。つまり、基板２の表面に記載された氏名を見なくても、一見して自分のタオルＴを識別でき、読解力の未熟な幼児であっても取り違えを起こしにくいワッペン１を提供できたものである。
【考案を実施するための最良の形態】
【００１０】
以下、図面に基づき本願考案の実施の形態の一例をとりあげて説明する。図１（Ａ）は、本例のワッペンを示す正面図であり、図１（Ｂ）は、本例のワッペンをタオルに取り付けた状態を示す図である。なお、下記の説明においては、図１に示された側を表面、逆の面を裏面として説明する。
【００１１】
本願考案に係るワッペン１は、基板２、吊り下げ部３、飾り部４の各部を有する。
【００１２】
基板２は平板状のものである。図示したものは略三角形のものであるが、形状はこれに限られるものではなく、円形、四角形、また、キャラクターの輪郭などを表したものであっても良い。また、この基板２の材料として、本例ではフェルトが用いられているが、これに限られず、織布、皮革、合成樹脂板など、種々の材料を使用することができる。
基材２の裏面には、タオルなどの身の回り品Ｔの表面に対し、アイロンなどで加熱されることにより接着が可能となる感熱接着剤層２１が設けられている。本例の感熱接着剤層２１にはポリオレフィン系樹脂が用いられているが、他の樹脂など、種々の材料を用いて良い。
このように感熱接着剤層２１が設けられたことにより、アイロンさえあれば、簡単に身の回り品Ｔへの取り付けが可能であり、従来の縫い付け作業を要するものに比べて手間がかからない。
【００１３】
また、基材２の表面の少なくとも一部には、氏名などを記載可能な記入部２２が設けられている。本例のワッペンにおいては、ペンのインクに対するにじみ防止加工を施した布地が基材２の表面に縫い付けられており、その布地が記入部２２として用いられている。この記入部２２は、本例の構成の他、基材２の表面を直接記入部２２としたり、スナップなどを用いて、基材２に対して記入部２２を着脱可能としたり、種々の構成で実施可能である。
【００１４】
記入部２２には、ワッペン１を使用する者が氏名などを記載する欄が設けられるが、それ以外に、「なまえ」「氏名」「ＮＡＭＥ」などの記載や、縁取り、ワンポイント、キャラクターなど、種々の記載をすることが可能である。この記載については、刺繍、染色、印刷などの種々の手段により実施できる。
【００１５】
上記の基材２を有するワッペン１をタオルＴに取り付け、後述する吊り下げ部３を用いて、図１（Ｂ）に示すようにフックＦから吊り下げた場合、吊り下げ部３の直下に基材２を位置させることができる。よって、氏名の表記が従来のようにタオルの布地に隠れてしまうことがないため、自己のタオルを識別することが容易である。
【００１６】
吊り下げ部３は、基材２の側方に突出するように設けられたものであって、図１（Ｂ）に示すように、壁面のフックＦなどに引っ掛けることのできる部分である。本例ではリボン状のものからなり、図１（Ａ）に示すように末端部３ａで折り返されることによって、二重に重ね合わされた部分３ｂが形成され、ループ状とされている。
なお本例では、吊り下げ部３を、上記のように閉じたループ状に形成したが、これに限られず、比較的硬質な素材を用いて鉤状に形成しても良い。
この吊り下げ部３は、図２（Ａ）に示すように、基材２と上記の感熱接着剤層２１とに挟まれることによって、基材２に取り付けられている。基材２と感熱接着剤層２１との間の接着力により、この吊り下げ部３は充分に保持可能であるが、念のため、基材２と吊り下げ部３との間を縫い付けることにより、更に強く固定しても良い。
【００１７】
飾り部４は、吊り下げ部３の末端部３ａと基材２との間に設けられたものである。本例のワッペン１における飾り部４は、同形である表側片４１と裏側片４２との２枚の平板状小片からなるものであり、上記の吊り下げ部３は、この表側片４１と裏側片４２とに挟まれることにより、ループ状とされている。詳しくは、図２（Ｂ）に示すように、リボン状の吊り下げ部３が、末端部３ａで折り返されることによって、二重に重ね合わされた部分３ｂが形成され、その重ね合わされた部分３ｂの基材側の端部３ｃが、飾り部４の表側片４１と裏側片４２とに挟まれる。つまり、飾り部４よりも基材側においては、吊り下げ部３は一重とされており、飾り部４よりも末端側においては、吊り下げ部３は二重とされ、ループ状となる。
本例では、飾り部４から末端部３ａまでのループ状部分の寸法、つまり、吊り下げ部３における、上記の重ね合わされた部分３ｂのうち、末端側の飾り部４から露出した部分の表側と裏側との合計寸法が６cmとされている。この寸法が短か過ぎるとフックＦに引掛けにくく、長過ぎると扱いにくかったり、吊り下げ部３に指を引っ掛けて怪我をする恐れもあるため、４〜８cmの範囲で実施することが望ましい。
【００１８】
また、飾り部４の表面にはキャラクターの図案４ａが設けられている。本例では、表側片４１にのみ図案４ａが設けられているが、裏側片４２にも設けて良い。飾り部４は、本例のように表面に図案４ａを設けたものに限られず、輪郭のみをかたどったものや、表面に刻印状の凹凸を形成したものとしても良い。また、飾り部４は、本例のように平板状のものに限られず、球体や立方体などの立体状のものであっても良い。材質についても、硬質プラスチックや木材、スポンジなどの軟質材料など、種々のものが利用できる。
【００１９】
上記のように飾り部４を設けることにより、このワッペン１を図１（Ｂ）に示すようにタオルＴに取り付けた場合、飾り部４が目立つため、基板２の表面に記載された氏名を見なくても、一見して自分のタオルＴを識別できる。よって、読解力の未熟な幼児であっても取り違えを起こしにくい。また、基板２が裏返り、見えない状態となっている場合でも、飾り部４の輪郭形状により容易に識別が可能である。よって、氏名を記載した基板２のみを設けた場合に比べ、更に識別性を向上することができる。
【００２０】
また、飾り部４を持って、吊り下げ部３をフックＦから取り外したり、フックに引っ掛けたりすることが可能であり、手先があまり器用であるとは言えない幼児であっても、フックＦに対する取り付け、取り外しが簡単にできる。
【００２１】
なお、使用状況によっては、基材２と吊り下げ部３とを切断して使用しても構わない。その際には、切断された吊り下げ部３を、飾り部４が付いた状態で衣服や鞄などに取り付け、単なる飾り物として用いることができる。
【００２２】
上記の説明においては、幼児が使用するタオルについて説明したが、本願発明に係るワッペン１は、タオル以外、種々の身の回り品Ｔに対して適用が可能である。また、適用対象も幼児に限られるものではなく、種々の人々に対して適用である。本願発明に係るワッペン１を用いることで、自己の身の回り品Ｔを容易に識別でき、しかも、フックＦに対する取り付け、取り外しが簡単にできるものであるため、特に、身体能力が低下した老人や身体に障害を有する人にとっても、大変有用なものである。
【図面の簡単な説明】
【００２３】
【図１】（Ａ）は、本例のワッペンを示す正面図であり、（Ｂ）は、本例のワッペンをタオルに取り付けた状態を示す説明図である。
【図２】（Ａ）は、図１（Ａ）のＡ−Ａ矢視の端面図であり、（Ｂ）は、吊り下げ部と飾り部との関係を示す分解状態の説明図である。
【符号の説明】
【００２４】
１      ワッペン
２      基材
２１    感熱接着剤層
２２    記入部
３      吊り下げ部
３ａ    吊り下げ部の末端部
３ｂ    吊り下げ部の二重に重ね合わされた部分
３ｃ    吊り下げ部の二重に重ね合わされた部分における基材側端部
４      飾り部
４ａ    キャラクターの図案
４１    表側片
４２    裏側片
Ｆ      フック
Ｔ      身の回り品、タオル
【図１】
0003108951.tif 000003
【図２】
0003108951.tif 000004